(57)【要約】【課題】排尿がしやすく、ペニスが活性化する男性用パンツを提供すること。【解決手段】パンツ本体の正面中央に縦長の開口部を形成し、開口部の前面に臨ませたカバー体が、表面の布材と、遠赤外線放射物質を含有した裏面のスポンジ材からなる。ガバー体下端を本体正面の股間部近傍に縫着するとともに上端を開口部の上方に縫着して左右を貫通させ、カバー体の左右いずれからでも排尿ができるようにした。【選択図】          図２
2005009060.tif 000002
【特許請求の範囲】
【請求項１】
パンツ本体の正面中央に縦長の開口部を形成し、開口部の前面に臨ませたカバー体が、表面の布材と、遠赤外線放射物質を含有した裏面のスポンジ材からなり、前記カバー体下端を本体正面の股間部近傍に縫着するとともに上端を開口部の上方に縫着して左右を貫通させ、カバー体の左右いずれからでも排尿ができるようにした男性用パンツ。
【請求項２】
パンツ本体の正面中央に縦長の開口部を形成し、開口部の前面に臨ませたカバー体が、表面の布材と、遠赤外線放射物質を含有し且つマグネット小片を埋設した裏面のスポンジ材からなり、前記カバー体下端を本体正面の股間部近傍に縫着するとともに上端を開口部の上方に縫着して左右を貫通させ、カバー体の左右いずれからでも排尿ができるようにした男性用パンツ。
【発明の詳細な説明】
【０００１】
【発明の属する技術分野】
本発明は、ペニスの活性化を兼ねた男性用パンツに関する。
【０００２】
【従来の技術】
前立腺障害や頻尿などの症状を持つ者にとって排尿時に手間がかゝるといわゆる粗相をすることにもなりかねず、したがってパンツからスムーズにペニスを取り出すことができれば好ましいが、トランクス・ブリーフの如何にかゝわらず従来のパンツは正面の布材左右を重ね合わせて片側（着装時には右側となる）に形成された開口部からペニスを引き出す構造のものが殆どである。それゆえパンツ内に納まっているペニスを開口部に右手を差し入れて摘み出す操作をするが、通常はパンツだけでなくズボン類を履いているのでまずズボンのファスナーをあけることを要し、このためパンツの開口部を探すのに手間取ることもあって、排尿が迅速にできないといった問題を生ずることがある。
【０００３】
【発明が解決しようとする課題】
ペニスを迅速に取り出しできるようにするためにはパンツの正面に直接縦長の開口部を形成すれが良いが、その場合ペニスが外側から見えてしまうので体裁が悪く、開口部が広がるとペニスが外側に飛び出すとともに飛び出したペニスが直接ズボンの内側に接するので感触が悪くまた非衛生であるなどの問題と、パンツを履いてもペニス自体の活性化は所期されない等の課題が残る。
【０００４】
本発明はこのような従来のパンツとは異なり、ペニスの出し入れがスムーズで排尿に手間取ることがなく、正面がカバーされるためペニスが直接ズボンと接しないので衛生的で感触が良く、カバー体の存在によりペニスが外見されないで体裁佳良であるとともにカバー体が遠赤外線放射物質等を含有する素材と一体でペニスの活性化が所期される男性用パンツを提供しようとするものである。
【０００５】
【課題を解決するための手段】
そのために本発明は、パンツ本体１の正面中央に縦長の開口部２を形成し、開口部２の前面に臨ませたカバー体５が、表面の布材６と、遠赤外線放射物質を含有した裏面のスポンジ材７からなり、前記カバー体５下端を本体正面の股間部４近傍に縫着するとともに上端を開口部２の上方に縫着して左右を貫通させ、カバー体５の左右いずれからでも排尿ができるようにしたことを技術手段とする。
【０００６】
また本発明は、パンツ本体１の正面中央に縦長の開口部２を形成し、開口部２の前面に臨ませたカバー体５が、表面の布材６と、遠赤外線放射物質を含有し且つマグネット小片９を埋設した裏面のスポンジ材７からなり、前記カバー体５下端を本体正面の股間部４近傍に縫着するとともに上端を開口部２の上方に縫着して左右を貫通させ、カバー体５の左右いずれからでも排尿ができるようにしたものであり、マグネット小片９を設けたことで一層血流の促進が図られる。
【０００７】
【発明の実施の形態】
図面に基づき本発明を説明すると、図１においてパンツ本体１は従来品と異なり正面中央に縦長のスリット状開口部２を形成したもので、当然ながらペニスはこの開口部２に臨む。開口部２の上端は、本体１の伸縮式履き口３よりも適度の間隔をおいて下方に位置するが、下端はパンツ本体１の股間部４の近くまで形成され、開口部２は周縁を縫着される。
【０００８】
図２（ａ）はパンツ本体１の開口部２の前面にカバー体５を取り付けた状態を示し、この場合カバー体５の下端は開口部２よりも更に下側に位置し、上端は開口部２の上方に位置して開口部２の全面がカバー体５によって覆われる。カバー体５は開口部２の前面を覆う以上の十分な横幅を有し、上下端のみ縫着して左右を貫通させる。
【０００９】
開口部２は、そのまゝの状態では閉じられているが、パンツを履くとペニスが少しく飛び出すようになる。然しながら前面にはカバー体５が存在するので露出することがなく、外見されることはない。カバー体５の左右は貫通しているため図２（ｂ）に示すように左右いずれからでもペニスを引き出すことができる。こうすることによって例えば障害等で利き腕側がマヒした場合であっても片方の手でペニスを容易に取り出すことができ、遅滞なく排尿できる。
【００１０】
カバー体３は図３に示すように、パンツ本体１と同素材からなる表面の布材６と、遠赤外線放射物質等を含有した裏面のスポンジ材７で構成され、適度な厚みと弾力性を有する。スポンジ材７は、片面に正形状態を保つ伸縮性の極薄布８を一体的に設けたもので、極薄布８側が開口部２に接するが、遠赤外線はいずれの面からも放射される。スポンジ材７には遠赤外線放射物質だけでなく、磁鉄鉱トルマリンなどの粉体を混合させることで遠赤外線効果を増大したりマイナスイオン作用を人体に及ぼすことができる。
【００１１】
またスポンジ材５には、図４のように複数個のマグネット小片９を埋め込むことが人体の血流促進に投立つので好ましい。すなわち開口部２側に設けたスポンジ材７からは遠赤外線が放射されるが、マグネット小片９からは磁力線が発生するため遠赤外線と磁力線の相乗作用で生命体に共振作用を起こし、細胞を活性化して血流促進を助長することが所期される。
【００１２】
図５のように開口部２の前面にカバー体５が臨むので、開口部２より飛び出したペニスはスポンジ材７と接し、該スポンジ材が含有する遠赤外線が直接ペニスに放射される。電磁波の一種である遠赤外線は４ミクロンから４００ミクロンの波長を有し、また有機体である人体は２０ミクロン前後の遠赤外線の放射体でもあるから相互が共鳴振動を起こして遠赤外線がペニスに吸収され、その結果ペニスの血行が良くなって細胞が活性化する。
【００１３】
スポンジ材７にマグネット小片９を埋め込んだ場合は、マグネット小片９の発する磁力線が、それ単独でも十分な血流促進作用を持つため人体にプラスとなることは当然で、しかもスポンジ材７から放射する遠赤外線との相乗効果となって血行増進が飛躍的に向上し、ペニスが活性化する方向に作用するため加齢、病気等による退化状態からの蘇生が期待できる。ペニスの活性化は必然的に尿管にも好影響を及ぼすので頻尿などが改善され、初期段階での前立腺疾患にも効果的となる。
【００１４】
カバー体５の布材６は、長期使用や洗濯を繰り返すうちにしわしわとなって形崩れするおそれがあるが、布材６の裏側に位置するスポンジ材７の適度な弾性によって復元作用を付与され、たるみを未然に防止して正形状態を保つことができ体裁を損ずることがない。
【００１５】
【発明の効果】
本発明では、パンツ本体の正面中央に直接開口部を設けたためペニスは容易に飛び出す状態にあり、左右が貫通している前面のカバー体の左右いずれからも直ちにペニスを取り出すことができる。すなわちカバー体はパンツ本体とは各別に設けてあるので左右の取り出し口を探すのに手間取ることもなく、遅滞なく排尿作業に取りかかることができて粗相をするおそれがない。
【００１６】
カバー体は、表面の布材と裏面のスポンジ材で構成され、スポンジ材には遠赤外線放射物質を含有してあるため開口部から出たペニスに遠赤外線が深達力によって吸収され、微細血管の拡張、血液循環の促進、酵素生成促進が行われてペニスを活性化し、頻尿の改善、勃起力の高進等が所期される。
【００１７】
布材とスポンジ材が一体であり、スポンジ材は復元作用で正形状態を維持するため布材単独と異なってカバー体に皺寄りや形崩れが起きず、貫通した左右の取り出し口よりペニスを絶えず正確迅速に取り出しできる。
【００１８】
スポンジ材にマグネット小片を埋め込むと、遠赤外線放射と磁力線浸透が相乗作用となって細胞活性が一層促進してペニス活性化とともに下半身の充実感が得られる。
【図面の簡単な説明】
【図１】開口部を形成したパンツの正面図である。
【図２】（ａ）は開口部の前面にカバー体を取り付けたパンツの正面図、（ｂ）はカバー体の横からペニスを引き出す状態を示す正面図である。
【図３】パンツに取り付けたカバー体の断面図である。
【図４】スポンジ材にマグネット小片を埋め込んだカバー体の断面図である。
【図５】パンツを着装した状態の説明図である。
【符号の説明】
１    パンツ本体
２    開口部
３    履き口
４    股間部
５    カバー体
６    布材
７    スポンジ材
９    マグネット小片
【図１】
2005009060.tif 000003
【図２】
2005009060.tif 000004
【図３】
2005009060.tif 000005
【図４】
2005009060.tif 000006
【図５】
2005009060.tif 000007